(57)【要約】      （修正有）【課題】ユーザが特定のコンテンツ情報の表示を見失うことなく、コンテンツ情報をソートし、表示を更新する再生装置、その制御方法及びプログラムを提供する。【解決手段】コンテンツ情報を含む部分リストを、順次取得するコンテンツリスト取得部３３と、取得済みのコンテンツ情報をソートするコンテンツリストソート部３４と、特定のコンテンツ情報の表示位置が維持されるように、表示を更新する表示更新部３５と、を備える。【選択図】図１
2017069710.tif 000002
【特許請求の範囲】
【請求項１】
１つのコンテンツに関する情報であるコンテンツ情報を複数のコンテンツについて含むリストを取得し、当該リストに含まれるコンテンツ情報から指定されたコンテンツ情報に対応するコンテンツを再生するコンテンツ再生装置であって、
上記リストが分割された、上記コンテンツ情報を１または複数含む部分リストを、順次、取得するリスト取得部と、
上記部分リストの取得後、取得済みの上記部分リストに含まれる上記コンテンツ情報を所定のルールに従ってソートする順序決定部と、
上記ソートされた順序で、上記コンテンツ情報を表示部に表示する表示更新部とを備えており、
上記表示更新部は、直前の表示に含まれていた特定のコンテンツ情報の表示位置が同じになるように、上記表示部の表示を更新することを特徴とするコンテンツ再生装置。
【請求項２】
上記順序決定部は、上記コンテンツ情報に含まれる要素情報を用いて、上記コンテンツ情報をソートすることを特徴とする請求項１に記載のコンテンツ再生装置。
【請求項３】
上記表示部に表示されているコンテンツ情報の中で注目するコンテンツ情報を切り替えるユーザ操作を受け付ける操作入力部を備え、
上記特定のコンテンツ情報が、上記操作入力部が受け付けたユーザ操作によって選択された上記注目するコンテンツ情報であることを特徴とする請求項１または２に記載のコンテンツ再生装置。
【請求項４】
分割される前の上記リストでは上記コンテンツ情報がソートされており、
上記リスト取得部は、上記ソートされた順で上記コンテンツ情報を取得するように、上記部分リストを取得し、
上記順序決定部は、取得済みの上記部分リストに含まれる上記コンテンツ情報を、上記リストでのソート順とは逆順でソートすることを特徴とする請求項１に記載のコンテンツ再生装置。
【請求項５】
上記リスト取得部が取得していない上記部分リストがある場合、上記表示更新部は、取得していない上記コンテンツ情報があることを上記表示部に表示することを特徴とする請求項４に記載のコンテンツ再生装置。
【請求項６】
１つのコンテンツに関する情報であるコンテンツ情報を複数のコンテンツについて含むリストを取得し、当該リストに含まれるコンテンツ情報から指定されたコンテンツ情報に対応するコンテンツを再生するコンテンツ再生装置の制御方法であって、
上記リストが分割された、上記コンテンツ情報を１または複数含む部分リストを、順次、取得するリスト取得ステップと、
上記部分リストの取得後、取得済みの上記部分リストに含まれる上記コンテンツ情報を所定のルールに従ってソートする順序決定ステップと、
上記ソートされた順序で、上記コンテンツ情報を表示部に表示する表示更新ステップとを含み、
上記表示更新ステップでは、直前の表示に含まれていた特定のコンテンツ情報の表示位置が同じになるように、上記表示部の表示を更新することを特徴とするコンテンツ再生装置の制御方法。
【請求項７】
請求項１に記載のコンテンツ再生装置としてコンピュータを機能させるためのプログラムであって、上記リスト取得部、上記順序決定部および上記表示更新部としてコンピュータを機能させるためのプログラム。
【発明の詳細な説明】
【技術分野】
【０００１】
本発明は、１つのコンテンツに関する情報であるコンテンツ情報を複数のコンテンツについて含むリストを取得し、当該リストに含まれるコンテンツ情報から指定されたコンテンツ情報に対応するコンテンツを再生するコンテンツ再生装置、コンテンツ再生装置の制御方法およびプログラムに関する。
【背景技術】
【０００２】
Digital Living Network Alliance（ＤＬＮＡ（登録商標））において、コンテンツの再生装置であるプレーヤは、サーバがどのようなコンテンツを有しているかを示すコンテンツリストをサーバから取得する。その後、プレーヤは取得したコンテンツリストをUser Interface（ＵＩ）に表示し、ユーザにコンテンツの選択を促す。ユーザがＵＩからコンテンツを選択すると、プレーヤは選択されたコンテンツをサーバから取得する。
【０００３】
これまでに、コンテンツリストに含まれているコンテンツについての情報であるコンテンツ情報をソート（順序を変更）する技術が開発されている。例えば、特許文献１に開示されているコンテンツ情報配信装置は、視聴情報管理装置からランキング用データを受信するランキング用データ受信手段と、ランキング用データを反映させてコンテンツリストを作成するコンテンツリスト作成手段と、コンテンツリストをユーザに送信するコンテンツリスト送信手段とを備える。
【０００４】
また、特許文献２に開示されている検索端末は、各サーバに対して並べ替えを要求し、表示領域分のコンテンツリストを各サーバより取得する。
【先行技術文献】
【特許文献】
【０００５】
【特許文献１】特許第５０１６３７７号公報（２０１２年９月５日発行）
【特許文献２】特開２００７−３３４５０８号公報（２００７年１２月２７日公開）
【発明の概要】
【発明が解決しようとする課題】
【０００６】
しかしながら、上述のような従来技術は、分割されたコンテンツリストを受信し、分割されたコンテンツリストの受信毎に、順次、コンテンツリストの表示を更新するコンテンツ再生装置を前提とした技術ではない。そのため、上述のような従来技術では、分割されたコンテンツリストを新たに受信し、コンテンツリストの表示を更新すると、コンテンツリストに含まれるコンテンツ情報の表示位置が変更されてしまう。よって、ユーザは注目していたコンテンツ情報を見失ってしまう。つまり、従来技術には、コンテンツリストの表示が更新されると、ユーザが注目していたコンテンツ情報を見失ってしまうという問題がある。
【０００７】
本発明は、上記の問題点に鑑みてなされたものであり、その目的は、受信したコンテンツ情報をソートでき、かつ、ユーザが特定のコンテンツ情報の表示を見失うことを防ぐことができるコンテンツ再生装置等を提供することにある。
【課題を解決するための手段】
【０００８】
上記の課題を解決するために、本発明の一態様に係るコンテンツ再生装置は、１つのコンテンツに関する情報であるコンテンツ情報を複数のコンテンツについて含むリストを取得し、当該リストに含まれるコンテンツ情報から指定されたコンテンツ情報に対応するコンテンツを再生するコンテンツ再生装置であって、上記リストが分割された、上記コンテンツ情報を１または複数含む部分リストを、順次、取得するリスト取得部と、上記部分リストの取得後、取得済みの上記部分リストに含まれる上記コンテンツ情報を所定のルールに従ってソートする順序決定部と、上記ソートされた順序で、上記コンテンツ情報を表示部に表示する表示更新部とを備えており、上記表示更新部は、直前の表示に含まれていた特定のコンテンツ情報の表示位置が同じになるように、上記表示部の表示を更新する。
【０００９】
また、本発明の一態様に係るコンテンツ再生装置の制御方法は、１つのコンテンツに関する情報であるコンテンツ情報を複数のコンテンツについて含むリストを取得し、当該リストに含まれるコンテンツ情報から指定されたコンテンツ情報に対応するコンテンツを再生するコンテンツ再生装置の制御方法であって、上記リストが分割された、上記コンテンツ情報を１または複数含む部分リストを、順次、取得するリスト取得ステップと、上記部分リストの取得後、取得済みの上記部分リストに含まれる上記コンテンツ情報を所定のルールに従ってソートする順序決定ステップと、上記ソートされた順序で、上記コンテンツ情報を表示部に表示する表示更新ステップとを含み、上記表示更新ステップでは、直前の表示に含まれていた特定のコンテンツ情報の表示位置が同じになるように、上記表示部の表示を更新する。
【発明の効果】
【００１０】
本発明の一態様によれば、コンテンツ再生装置は、表示の更新時にコンテンツ情報をソートでき、かつ、ユーザに対して、表示の更新の前後で特定のコンテンツ情報を同じ表示位置に認識させることができる。
【図面の簡単な説明】
【００１１】
【図１】本発明の実施形態１に係るプレーヤの要部構成を示すブロック図である。
【図２】本発明の実施形態１に係るサーバに管理されているデータの構造の一例を示す図である。
【図３】本発明の実施形態１に係るプレーヤが実行するコンテンツリストを取得する処理の一例を示すフローチャートである。
【図４】（ａ）および（ｃ）は、本発明の実施形態１に係るプレーヤが受信するコンテンツリスト（部分リスト）の一例を示す図であり、（ｂ）は上記プレーヤが表示するコンテンツリストの一例を示す図である。
【図５】本発明の実施形態１に係るプレーヤが実行する処理の一例を示すフローチャートである。
【図６】本発明の実施形態２に係るプレーヤの要部構成を示すブロック図である。
【図７】（ａ）および（ｃ）は、本発明の実施形態２に係るプレーヤが受信するコンテンツリスト（部分リスト）の一例を示す図であり、（ｂ）は上記プレーヤが表示するコンテンツリストの一例を示す図である。
【図８】本発明の実施形態２に係るプレーヤが実行する処理の一例を示すフローチャートである。
【図９】本発明の変形例に係るプレーヤの表示画像を示す図である。
【発明を実施するための形態】
【００１２】
〔実施形態１〕
以下、本発明の実施の形態について、図１〜５を参照しながら、詳細に説明する。
【００１３】
〔本実施形態の概要〕
本実施形態の概要について説明する。
【００１４】
本実施形態に係るプレーヤ１は、動画等のコンテンツを再生するコンテンツ再生装置である。プレーヤ１は、動画等のコンテンツを再生できる装置であればよく、例えば、スマートフォン、ＰＣ（Personal computer）、ＰＤＡ（Personal Digital Assistant）、タブレット端末等である。プレーヤ１は、サーバ２０に保有する１つのコンテンツに関する情報であるコンテンツ情報を複数のコンテンツについて含むコンテンツリストをサーバ２０から取得する（図１を参照）。詳細には、プレーヤ１は、上記コンテンツリストが分割された、上記コンテンツ情報を１または複数含む部分リストを、順次、取得する。上記コンテンツ情報とは、例えば、タイトル（コンテンツ名）、種別（放送、録画等）、ネットワーク（地上放送、ＢＳ放送、ＣＳ放送等）、ジャンル、放送局名、チャンネル番号、ストリーム種別、ビットレート、コンテンツの長さ（再生時間）、該コンテンツに対応するアイコン、作成日時、放送開始時間、放送終了時間、レーティング情報（視聴者の年齢）、コンテンツの説明等を、例に挙げることができる。
【００１５】
プレーヤ１は、部分リストの取得後、取得済みの上記部分リストに含まれる上記コンテンツ情報を所定のルールに従ってソートする。プレーヤ１は、コンテンツ情報に含まれる要素情報を用いて、上記コンテンツ情報をソートする、例えば、プレーヤ１は、タイトルに応じた順序（５０音順等）のコンテンツリストを、作成日時に応じた順序のコンテンツリストに変更する。
【００１６】
次に、プレーヤ１は、ソートされた順序で、コンテンツ情報を表示部に表示する。プレーヤ１は、直前の表示に含まれていた特定のコンテンツ情報の表示位置が、同じになるように、上記表示部の表示を更新する。本実施形態における上記特定のコンテンツ情報とは、例えば、ユーザの操作により、選択されているコンテンツ情報である。
【００１７】
プレーヤ１は表示部５に表示されたコンテンツリストから指定されたコンテンツをサーバ２０から取得する。
【００１８】
上記の構成によれば、プレーヤ１は部分リストの取得後、取得済みの上記部分リストに含まれる上記コンテンツ情報を所定のルールに従ってソートする。また、プレーヤ１は、直前の表示に含まれていた特定のコンテンツ情報の表示位置が、同じになるように、上記表示部の表示を更新する。
【００１９】
したがって、プレーヤ１は、表示の更新時にコンテンツ情報をソートでき、かつ、ユーザに対して、表示の更新の前後で特定のコンテンツ情報を同じ表示位置に認識させることができる。
【００２０】
［コンテンツ配信システム１０］
次に、本実施形態に係るコンテンツ配信システム１０について説明する。コンテンツ配信システム１０は、上述したプレーヤ１、サーバ２０および放送局４０を備えている（図１を参照）。プレーヤ１は、例えば、ＬＡＮネットワークを介して、サーバ２０からコンテンツリストおよびコンテンツを取得する。なお、サーバ２０およびプレーヤ１間の通信の方法については、サーバ２０からプレーヤ１にコンテンツおよびコンテンツリストが配信されればよく、特に限定されない。サーバ２０は、プレーヤ１にコンテンツおよびコンテンツリストを配信する。サーバ２０は、例えば、チューナボックスであり、放送局４０が放送するコンテンツを取得し、コンテンツ再生装置に配信する。サーバ２０は取得したコンテンツを一旦録画しプレーヤ１に配信してもよいし、放送中のコンテンツをライブでプレーヤ１に配信してもよい。なお、本実施形態においてはコンテンツ配信システム１０をＤＬＮＡに適用する例について示すが、使用するプロトコルはこれに限定されず、本システムはコンテンツ配信装置からコンテンツ再生装置にコンテンツリストを配信するシステム全般に適用することができる。
【００２１】
［サーバ２０に管理されているデータの構造］
ここで、サーバ２０にて管理されているデータの構造について図２を用いて説明する。図２は、サーバ２０に管理されているデータの構造の一例を示す図である。図２に示すようにサーバ２０にて管理されているデータは、ツリー構造になっている。該ツリー構造はcontainerＣ２ａ〜Ｃ４ｃおよびitemＩ１〜Ｉ３から構成されている。なお、itemとは、コンテンツデータを示すものである。図２において示すように、本実施形態に係るツリー構造は、コンテンツの種類（「動画」「静止画」「音楽」）、「動画」の種別（「放送」「録画」）、「放送」のネットワーク（「地上放送」「ＢＳ放送」「ＣＳ放送」）によって分岐している。「録画」のcontainerＣ３ｂには、サーバ２０によって「録画」されたコンテンツであるitemＩ１〜Ｉ３が格納されている。また、containerおよびitemのそれぞれには、ObjectIDが対応付けられている。
【００２２】
［コンテンツリストの要求および取得の流れ］
次に、プレーヤ１が実行するコンテンツリストを取得する処理の流れの一例について説明する。図３はプレーヤ１が実行するコンテンツリストを取得する処理の一例を示すフローチャートである。図３に示すように、はじめに、プレーヤ１は、例えば、「録画」のcontainerＣ３ｂにおける、０番目（ObjectIDなどにより順序付けられている番号）から最後までの全てのコンテンツ（item）を含むコンテンツリストを要求する（Ｓ１）。なお、図２においては、containerＣ３ｂが３つのコンテンツが含む例を示しているが、ここでは、containerＣ３ｂが１００個のコンテンツを含む場合について説明する。プレーヤ１は、例えば、Universal Plug and Play（UPnP）のActionであるBrowseを実行することで、サーバ２０からコンテンツリストを取得する。プレーヤ１は、サーバ２０のcontainerのObjectIDを指定して、当該containerに含まれているitem（指定されたIDのcontainerに含まれている子）についてのコンテンツリストを要求する。プレーヤ１がサーバ２０に送信するコンテンツリストを取得するための要求には、リクエストパラメータが含まれている。リクエストパラメータの具体例としては、ObjectID:20（要求するcontainerのID）、BrowseFlag:BrowseDirectChildren（指定されたIDのcontainerに含まれている子を配信する要求）、Filter:*（コンテンツリストに含ませるコンテンツ情報の種類、*は全コンテンツ情報の種類を指定）、StartingIndex:0（配信されるコンテンツリストに含ませるコンテンツ情報に対応するコンテンツの番号（開始位置））、RequestedCount:0（配信されるコンテンツリストに含ませるコンテンツ情報に対応するコンテンツの最大数、0はすべてを示す）、SortCriteria:（サーバがコンテンツリストの順序を並び替えるためのソートパラメータ）等である。
【００２３】
上記の要求に対して、サーバ２０はレスポンスパラメータとして、Result:コンテンツリスト、NumberReturned：20（今回送付するコンテンツリストが含むコンテンツ情報に対応するコンテンツの数）、TotalMatches:100（送付されるコンテンツ情報に対応するコンテンツの総数）、UpdateID:1（更新世代を示す値。container内の要素の更新に応じて更新される値（通常はインクリメントされる）。プレーヤ１は、当該値から取得済みのコンテンツリストと今回取得するコンテンツリストとが異なるものであるかを判断する。また、プレーヤ１は、当該値を含む更新通知を受領し、取得済みのコンテンツリストに含まれるコンテンツ情報が更新済みのものであるかを判断する。）等を、プレーヤ１に送信する（Ｓ２）。サーバ２０は、１度の送信において許容される送信量に応じて、プレーヤ１から要求されたコンテンツリストを分割して、部分リストを送信する。本実施形態においては、サーバ２０は、２０個のコンテンツについてのコンテンツ情報を含む部分リストを１度に送付できるものとする。ステップＳ２の終了後、プレーヤ１は、２０個のコンテンツについてのコンテンツ情報（０〜１９番目のコンテンツについてのコンテンツ情報）を含む部分リストを取得したことになる。なお、上述したサーバ２０の１度の送信において許容される送信量は、特に限定されず、サーバ２０の送信処理の能力およびプレーヤ１の受信処理の能力に応じて、適宜、変更することができる。
【００２４】
続いて、プレーヤ１は、「録画」のcontainerＣ３ｂに含まれる２０番目から最後までの全てのコンテンツを含むコンテンツリストを要求する（Ｓ３）。上記の要求に対して、サーバ２０は、NumberReturned：20（今回送付した部分リストが含むコンテンツ情報に対応するコンテンツの数）、TotalMatches: 100（送付されるコンテンツ情報に対応するコンテンツの総数）、UpdateID:1（更新世代を示す値）等を、プレーヤ１に送信する（Ｓ４）。すなわち、ステップＳ４の終了後、プレーヤ１は、４０個のコンテンツについてのコンテンツ情報（０〜３９番目のコンテンツについてのコンテンツ情報）を含むコンテンツリストを取得したことになる。プレーヤ１は前回までに取得したコンテンツ情報と今回取得したコンテンツ情報を結合する（１つのコンテンツリストにする）。
【００２５】
続いて、プレーヤ１は、「録画」のcontainerＣ３ｂに含まれる４０番目から最後までの全てのコンテンツを含むコンテンツリストを要求する（Ｓ５）。上記の要求に対して、サーバ２０は、NumberReturned：20（今回送付する部分リストが含むコンテンツ情報に対応するコンテンツの数）、TotalMatches: 100（送付されるコンテンツ情報に対応するコンテンツの総数）、UpdateID:1（更新世代を示す値）等を、プレーヤ１に送信する（Ｓ６）。すなわち、ステップＳ４の終了後、プレーヤ１は、６０個のコンテンツについてのコンテンツ情報（０〜５９番目のコンテンツについてのコンテンツ情報）を含むコンテンツリストを取得したことになる。プレーヤ１は前回までに取得したコンテンツ情報と今回取得したコンテンツ情報を結合する。
【００２６】
プレーヤ１は、上述のようにコンテンツリストの要求と取得とを繰り返すことによって、要求するコンテンツリストに含まれるすべてのコンテンツ情報を取得する。
【００２７】
〔プレーヤ１の構成〕
次に、プレーヤ１の構成について図１を用いて説明する。図１はプレーヤ１の要部構成を示すブロック図である。プレーヤ１は操作部２、制御部３、通信部４、表示部５および記憶部６を備えている。
【００２８】
［操作部２］
操作部２は、ユーザによる操作入力を受け付けるものである。本実施形態においては、特に、表示部５に表示されているコンテンツ情報を選択する操作入力（例えば、表示部５に表示されているコンテンツ情報の中で注目するコンテンツ情報を切り替えるユーザ操作）、コンテンツリスト取得を指示する操作入力等を受け付ける。操作部２は、当該操作入力を制御部３に送信する。操作部２は、例えば、タッチパネル等から構成されてもよい。その場合、該タッチパネルは操作部２および表示部５を備えている構成としてもよい。操作部２は、表示部５に表示されている画像に対する操作、コンテンツリスト取得の指示の操作等を入力できる構成であればよく、特にその構成は限定されない。
【００２９】
［通信部４・表示部５・記憶部６］
通信部４は、外部機器と通信を行う。本実施形態では、特に、サーバ２０との通信を行う。表示部５は、画像データを表示するための表示画面を有しており、制御部３から画像信号を受信し、受信した画像信号に基づいてその表示画面に画像を表示するものである。表示部５は画像を表示する機能を備えているものであればよく、例えばＬＣＤ（Liquid Crystal Display）表示装置、ＥＬ（Electro Luminescence）表示装置等で構成することもできる。記憶部６は、プレーヤ１が使用する各種データを記憶するものである。記憶部６には、例えば、コンテンツリスト６１、操作位置情報６２、ソートルール６３等が格納されている。これらのデータの詳細については後述する。
【００３０】
［制御部３］
制御部３は、操作入力受付け部（操作入力部）３１、コンテンツリスト要求部３２、コンテンツリスト取得部（リスト取得部）３３、コンテンツリストソート部（順序決定部）３４、表示更新部３５および操作領域特定部３６を備えている。
【００３１】
操作入力受付け部３１は、操作部２から表示部５に表示されているコンテンツ情報の中で注目するコンテンツ情報を切り替えるユーザ操作を受け付ける。例えば、操作入力受付け部３１は操作部２の操作された位置を示す操作位置を受信し、操作領域特定部３６に送信する。また、操作入力受付け部３１は、ユーザによるコンテンツリスト取得の操作入力を受け付けると、コンテンツリスト要求部３２に対して、コンテンツリストを要求するように指示する。
【００３２】
コンテンツリスト要求部３２は操作入力受付け部３１または後述するコンテンツリスト取得部３３の指示に従い、通信部４を介して、コンテンツリストの配信をサーバ２０に要求する。
【００３３】
コンテンツリスト取得部３３は、通信部４を介して、サーバ２０から、コンテンツリストが分割された、上記コンテンツ情報を１または複数含む部分リストを、順次、取得する。コンテンツリスト取得部３３は取得した部分リストをコンテンツリストソート部３４に送信する。また、コンテンツリスト取得部３３は取得した部分リストに含まれているコンテンツ情報に対応するコンテンツの数を示す情報を記憶部６に記憶させてもよい。コンテンツリスト取得部３３は、これまでに取得した部分リストに含まれるコンテンツ情報に対応するコンテンツの数と、サーバ２０から受信した送信されるコンテンツ情報に対応するコンテンツの総数とから、未取得の部分リストがあるか否かを判断する。未取得の部分リストがある場合、コンテンツリスト取得部３３は、サーバ２０にコンテンツリストを要求するように、コンテンツリスト要求部３２に対して指示する。
【００３４】
コンテンツリストソート部３４は、部分リストの取得後、取得済みの部分リストに含まれるコンテンツ情報を所定のルールに従ってソートする。本実施形態では、コンテンツリストソート部３４は、コンテンツ情報に含まれる要素情報を用いて、コンテンツ情報をソートする。
【００３５】
詳細には、コンテンツリストソート部３４は取得した部分リストに含まれるコンテンツ情報と取得済みの部分リストに含まれるコンテンツ情報を結合し、コンテンツ情報の順序を所定のルールに従って変更する。例えば、記憶部６には、所定のルールを示すソートルール６３が格納されていて、コンテンツリストソート部３４はソートルール６３を参照して該順序の変更を行ってもよい。ソートルール６３については、例えば、コンテンツのタイトル（コンテンツ名）を用いて５０音順にコンテンツリストの順序を変更するルールでもよいし、コンテンツの作成日時を用いて該作成日時順にコンテンツリストの順序を変更するルールでもよいし、コンテンツが放送された放送局名を用いてコンテンツを放送した放送局毎に表示できるようにコンテンツリストの順序を変更するルールでもよい。また、ソートルール６３は、コンテンツリストにおけるコンテンツ情報が示す内容を用いずに、実施形態２に示すような予め設定されているルール（受信したコンテンツリストに含まれているコンテンツ情報の順序を逆の順序に変更するルール）であってもよい。また、ユーザの選択によって、複数の所定のルールの中から適用するルールが設定される構成としてもよい。コンテンツリストソート部３４は、コンテンツ情報の順序を変更したコンテンツリスト６１を記憶部６に記憶させると共に表示更新部３５に送信する。コンテンツリストソート部３４は、新たに部分リストを受信すると記憶部６に記憶されているコンテンツリスト６１を読出し、上述のコンテンツ情報の結合と順序の変更とを行う。
【００３６】
操作領域特定部３６は、操作入力受付け部３１から受信した操作位置から、表示されているコンテンツリストにおいて操作されているコンテンツ情報を特定する。換言すると、操作領域特定部３６は、表示部５に表示されているコンテンツリストにおいて、操作を受け付けた、または、選択を受け付けたコンテンツ情報を特定する。操作領域特定部３６は、操作されていると特定したコンテンツ情報を示す操作位置情報６２を記憶部６に記憶させる。
【００３７】
表示更新部３５は、コンテンツリストソート部３４によってソートされた順序で、上記コンテンツ情報を表示部５に表示する。表示更新部３５は、直前の表示に含まれていた特定のコンテンツ情報の表示位置が同じになるように、上記表示部の表示を更新する。
【００３８】
詳細に説明すると、表示更新部３５はコンテンツリストソート部３４からコンテンツリスト６１を受信する。次に、表示更新部３５は、操作位置情報６２を参照し、操作されているコンテンツ情報の表示位置が維持されるように、受信したコンテンツリスト６１を表示部５に表示させる。上述の操作されているコンテンツ情報（特定のコンテンツ情報）とは、操作入力受付け部３１が受け付けたユーザ操作によって選択された注目するコンテンツ情報である。表示更新部３５はコンテンツリストの表示画像を生成し、表示部５に表示させると表現することもできる。
【００３９】
ここで、プレーヤ１の表示画像および表示画像の遷移について、図４を用いて説明する。
【００４０】
図４の（ａ）および（ｃ）は、プレーヤ１がサーバ２０から受信する部分リストＬ０およびＬ３を示している。
【００４１】
図４の（ａ）に示すように、部分リストＬ０には、複数のコンテンツのコンテンツ名（コンテンツ情報）が示されている。説明の便宜上、コンテンツ名には番号（Ｎ０〜Ｎ１９）を付している。部分リストＬ０においては、小さい番号を含むコンテンツ名が上段になるような順序でコンテンツ名が示されている。
【００４２】
図４の（ｂ）は、プレーヤ１が表示するコンテンツリストＬ１およびＬ２を示している。図４の（ｂ）に示すコンテンツリストＬ１は、部分リストＬ０に含まれるコンテンツ名の順序を変更したコンテンツリストである。また、図４の（ｂ）に示す表示領域Ｒ１およびＲ２は、コンテンツリストＬ１およびＬ２の表示部５に表示される表示領域を示している。また、図４の（ｂ）に示す「フォーカス」は、コンテンツリストＬ１に含まれるコンテンツ名のうち、ユーザの操作を受け付けているコンテンツ名を示している。
【００４３】
図４の（ｃ）に示す部分リストＬ３は、部分リストＬ０の次に、プレーヤ１が受信する部分リストである。部分リストＬ３には、部分リストＬ０と同様に、複数のコンテンツ名が示されている。部分リストＬ３は、小さい番号を含むコンテンツ名が上段になるような順序でコンテンツ名を示し、コンテンツ名Ｎ２０〜Ｎ３９を含む。
【００４４】
図４の（ｂ）に示すコンテンツリストＬ２は、プレーヤ１が部分リストＬ３を受信した後に表示する（表示を更新する）コンテンツリストである。コンテンツリストＬ２は、コンテンツリストＬ１が含むコンテンツ名と部分リストＬ３が含むコンテンツ名とを結合し、コンテンツ名の順序を変更したコンテンツリストである。コンテンツリストＬ２においては、コンテンツリストＬ１の「コンテンツ名Ｎ３」と「コンテンツ名Ｎ１０」との間の位置にコンテンツ名Ｎ２７〜Ｎ２９が追加されている。また、コンテンツリストＬ２においては、コンテンツリストＬ１の「コンテンツ名Ｎ１０」と「コンテンツ名Ｎ５」との間の位置にコンテンツ名Ｎ２１〜Ｎ２４が追加されている。すなわち、コンテンツリストＬ１に比べて、コンテンツリストＬ２では上下方向のスクロール幅が広がる。また、コンテンツリストＬ１にて操作を受け付けている「コンテンツ名Ｎ１０」の表示領域Ｒ１における表示位置は、表示更新後においても維持されている。
【００４５】
上記の構成によれば、ユーザは、リストの表示の更新前後で、選択されたコンテンツ情報の表示を同じ表示位置で確認することができる。
【００４６】
なお、コンテンツリストＬ１において、何れのコンテンツ名も操作を受け付けていない場合、表示領域中の所定の位置に表示されているコンテンツ名の表示位置を維持して、コンテンツリストＬ２に表示を更新してもよい。例えば、コンテンツリストＬ１における表示領域Ｒ１の最上段に表示されている、「コンテンツ名Ｎ３」の表示位置を維持し、コンテンツリストＬ２を表示する。
【００４７】
また、コンテンツリストにおけるコンテンツ情報の表示の態様は任意であり、例えば、コンテンツ情報をマトリックス状に並べて表示してもよい。
【００４８】
［プレーヤ１が実行する処理の流れ］
次に、プレーヤ１が実行する処理の流れについて、図５を用いて説明する。図５はプレーヤ１が実行する処理の一例を示すフローチャートである。
【００４９】
操作入力受付け部３１が操作部２からコンテンツリストの取得を指示する操作を受け付けると、コンテンツリスト要求部３２は、通信部４を介してサーバ２０にコンテンツリストの取得を要求する（Ｓ１１）。次に、コンテンツリスト取得部３３は、通信部４を介して、サーバ２０から部分リストを取得する（Ｓ１２：リスト取得ステップ）。次に、コンテンツリストソート部３４はコンテンツリストに含まれるコンテンツ情報の順序を変更（ソート）する（Ｓ１３：順序決定ステップ）。次に、表示更新部３５は、ソートされたコンテンツリストを表示部５に表示する（Ｓ１４：表示更新ステップ）。コンテンツリスト取得部３３は、取得した部分リストに含まれるコンテンツ情報に対応したコンテンツの数と、サーバ２０から受信した配信されるコンテンツ情報に対応するコンテンツの総数とから、部分リストを全て取得したか否かを判断する（未取得の部分リストがあるかを判断する）（Ｓ１５）。未取得の部分リストがある場合（Ｓ１５でＮＯ）、コンテンツリスト要求部３２は未取得の部分リストをサーバ２０に要求する（Ｓ１６）。次に、コンテンツリスト取得部３３は、通信部４を介して、サーバ２０から部分リストを取得する（Ｓ１７：リスト取得ステップ）。次に、コンテンツリストソート部３４は、取得済み（順序を変更済み）の部分リストが含むコンテンツ情報と今回取得した部分リストが含むコンテンツ情報とを結合する（Ｓ１８）。次に、コンテンツリストソート部３４はコンテンツ情報の順序を変更する（Ｓ１９：順序決定ステップ）。次に、表示更新部３５は、フォーカス位置（操作を受け付けているコンテンツ情報の表示位置）を維持し、ソートされたコンテンツ情報を表示部５に表示する（Ｓ２０：表示更新ステップ）。Ｓ２０が終了すると、Ｓ１５に戻る。なお、部分リストを全て取得した場合（Ｓ１５でＹＥＳ）、処理は終了する。
【００５０】
本実施形態の構成によれば、プレーヤ１が、所定のルールに従い、受信したコンテンツリストに含まれるコンテンツ情報のソートを行う。したがって、複数のサーバが、それぞれ、異なるルールでコンテンツ情報をソートしたコンテンツリストをプレーヤ１に送信する場合において、プレーヤ１は、それぞれのサーバから受信したコンテンツリストに含まれるコンテンツ情報を共通の順序で表示することができる。
【００５１】
また、本実施形態の構成によれば、取得した部分リストに含まれるコンテンツ情報と取得済みの部分リストに含まれるコンテンツ情報とを結合し、コンテンツ情報の順序を、所定のルールに従って変更し、表示を行う。
【００５２】
すなわち、部分リストを受信する度に、コンテンツリストの表示を更新することができる。したがって、例えば、コンテンツリストを構成する全ての部分リストの受信を待って、コンテンツ情報のソートを行い、表示する構成に比べ、より早くコンテンツ情報の表示を開始することができる。
【００５３】
〔実施形態２〕
本発明の他の実施形態について、図６〜図８に基づいて説明すれば、以下のとおりである。なお、説明の便宜上、前記実施形態にて説明した部材と同じ機能を有する部材については、同じ符号を付記し、その説明を省略する。
【００５４】
〔本実施形態の概要〕
本実施形態に係るプレーヤ１ａは、サーバ２０から受信したコンテンツリストが示すコンテンツ情報の順序を逆の順序に変更する。また、未取得の部分リストがある場合、表示するコンテンツリストに「読み込み中」を表示する。
【００５５】
〔プレーヤ１ａの構成〕
本実施形態に係るプレーヤ１ａの構成について、図６を参照して説明する。図６はプレーヤ１ａの要部構成を示すブロック図である。プレーヤ１ａは、実施形態１にて説明したプレーヤ１が備えている制御部３に代り、制御部３ａを備えている。
【００５６】
制御部３ａは、制御部３が備えているコンテンツリスト取得部３３および表示更新部３５のそれぞれに代り、コンテンツリスト取得部３３ａおよび表示更新部３５ａを備えている。
【００５７】
分割される前のコンテンツリストでは、サーバ２０によってコンテンツ情報がソートされている。コンテンツリスト取得部３３ａは、実施形態１にて説明したコンテンツリスト取得部３３が行う処理に加えて、次の処理を行う。コンテンツリスト取得部３３ａは、上記ソートされた順でコンテンツ情報を取得するように、部分リストを取得する。
【００５８】
また、コンテンツリスト取得部３３ａは、実施形態１で説明したコンテンツリスト取得部３３と同様に、未取得の部分リストがあるか否かを判断する。未取得の部分リストがある場合、コンテンツリスト取得部３３ａは、未取得の部分リストがある旨を表示更新部３５ａに送信する。また、コンテンツリスト取得部３３ａは、サーバ２０が送信するコンテンツリストが示すコンテンツ情報の順序について受信し、当該順序を示す情報を表示更新部３５ａに送信する。
【００５９】
表示更新部３５ａは、実施形態１にて説明した表示更新部３５が行う処理に加えて、次の処理を行う。
【００６０】
表示更新部３５ａは、コンテンツリスト取得部３３ａが部分リストを全て取得していない場合、取得していないコンテンツ情報があることを表示部５に表示する。詳細に説明すると、表示更新部３５ａは、コンテンツリスト取得部３３ａから未取得の部分リストがある旨の通知およびサーバ２０が送信するコンテンツリストが示すコンテンツ情報の順序を受信する。表示更新部３５ａは、ソートルール６３を参照し、ソートルール６３が示すルールによるコンテンツ情報の順序が、サーバ２０から受信するコンテンツリストに含まれるコンテンツ情報の順序と逆の順序であるか否かを判断する。ソートルール６３が示すルールによるコンテンツ情報の順序が、サーバ２０から受信するコンテンツリストに含まれるコンテンツ情報の順序と逆の順序である場合は、以下の２つの場合が考えられる。１つ目は、ソートルール６３が示すルールが、「受信したコンテンツリストが含むコンテンツ情報の順序を逆の順序に変更する」という場合である。２つ目は、例えば、受信するコンテンツリストが「作成日時の新しい順」であり、ソートルール６３が示すルールが「作成日時が古い順」であるような場合である。このよう場合、コンテンツリストソート部３４は、取得済みの部分リストに含まれるコンテンツ情報を、分割される前のコンテンツリストでのソート順とは逆順でソートすることになる。
【００６１】
ソートルール６３が示すルールによる変更後のコンテンツ情報の順序が、サーバ２０から受信するコンテンツリストに含まれるコンテンツ情報の順序と逆の順序である場合、取得していない上記コンテンツ情報がある旨を、更新するコンテンツリストに表示する。
【００６２】
ここで、プレーヤ１ａの表示画像について、図７を用いて説明する。
【００６３】
図７の（ａ）および（ｃ）は、プレーヤ１ａがサーバ２０から受信する部分リストＬ４およびＬ７を示している。
【００６４】
図７の（ａ）に示すように、部分リストＬ４には、複数のコンテンツのコンテンツ名が示されている。説明の便宜上、コンテンツ名には番号（Ｎ０〜Ｎ１９）を付している。部分リストＬ４においては、小さい番号を含むコンテンツ名が上段になるような順序でコンテンツ名が示されている。
【００６５】
図７の（ｂ）は、プレーヤ１ａが表示するコンテンツリストＬ５およびＬ６を示す。図７の（ｂ）に示すコンテンツリストＬ５は、部分リストＬ４が示すコンテンツ名の順序を逆の順序に変更したコンテンツリストである。また、図７の（ｂ）が示す表示領域Ｒ３およびＲ４は、表示部５に表示される表示領域を示している。図７の（ｂ）に示す「表示範囲」は、実施形態１にて説明した、「フォーカス」に相当する。すなわち、本実施形態では、表示されているコンテンツ名すべてが、実施形態１で説明した「表示位置を維持」する対象（特定のコンテンツ情報）に相当する。また、コンテンツリストＬ５の上段（「コンテンツ名Ｎ１９の上段」）には、今後、当該位置にコンテンツ情報が追加されること示す「読み込み中」が、表示更新部３５ａによって表示される。
【００６６】
プレーヤ１ａが表示するコンテンツリストにおいて、コンテンツ情報が追加される位置がコンテンツリストの最上段となる理由は、下記の通りである。本実施形態においては、サーバ２０から受信したコンテンツリストが示すコンテンツ情報の順序を、逆の順序に変更する。そのため、サーバ２０が、配信するコンテンツリストを先頭から分割して順次送信する場合、プレーヤ１ａが取得するコンテンツ情報は、取得済みのコンテンツ情報の上段に追加されることになる。
【００６７】
図７の（ｃ）に示す部分リストＬ７は、プレーヤ１ａが部分リストＬ４の次に受信するコンテンツリストである。部分リストＬ７には、部分リストＬ４と同様に、複数のコンテンツ名が示されており、小さい番号を含むコンテンツ名が上段になるような順序でコンテンツ名が示されている。部分リストＬ７には、コンテンツ名Ｎ２０〜Ｎ３９が含まれている。図７の（ｂ）に示すコンテンツリストＬ６は、プレーヤ１が部分リストＬ７を受信した後に表示する（表示を更新する）コンテンツリストである。コンテンツリストＬ６は、コンテンツリストＬ５が含むコンテンツ情報と部分リストＬ７が含むコンテンツ情報とを結合し、コンテンツ名の順序を変更したコンテンツリストである。コンテンツリストＬ６では、コンテンツリストＬ５の「コンテンツ名Ｎ１９」の上段に、コンテンツ名Ｎ２０〜Ｎ３９が追加されている。また、コンテンツリストＬ５の表示領域Ｒ３に含まれているコンテンツ名Ｎ１６〜Ｎ１９の表示位置と、表示領域Ｒ４に含まれているコンテンツ名Ｎ１６〜Ｎ１９の表示位置は変更されず、維持される。
【００６８】
［プレーヤ１ａが実行する処理の流れ］
次に、プレーヤ１ａが実行する処理の流れの一例について、図８を用いて説明する。図８はプレーヤ１ａが実行する処理の一例を示すフローチャートである。なお、実施形態１のプレーヤ１と同様の処理は説明を省略する。コンテンツリスト取得部３３ａは、取得した部分リストに含まれるコンテンツ情報に対応したコンテンツの数と、サーバ２０から受信した送付されるコンテンツ情報に対応するコンテンツの総数とから、部分リストを全て取得したか否かを判断する（未取得の部分リストがあるかを判断する）（Ｓ１５）。未取得の部分リストがある場合（Ｓ１５でＮＯ）、その旨を表示更新部３５ａに送信する。次に、表示更新部３５ａは「読み見込み中」が表示されたコンテンツリストを、表示部５に表示する（Ｓ３０）。次にＳ１６に移行する。
【００６９】
〔変形例〕
本発明の変形例について、図９に基づいて説明すれば、以下のとおりである。なお、説明の便宜上、前記実施形態にて説明した部材と同じ機能を有する部材については、同じ符号を付記し、その説明を省略する。
【００７０】
図９は、本変形例に係るプレーヤ１ａが表示するコンテンツリストＬ８を示す図である。
【００７１】
図９に示すように、コンテンツリストＬ９には、複数のコンテンツ名と複数の「読み込み中」の表示とが示されている。当該「読み込み中」の表示位置は、未取得の部分リストを取得することによって追加されるコンテンツ情報の表示位置を示している。図９に示す表示領域Ｒ５は、表示部５に表示されている表示領域を示している。
【００７２】
本変形例に係るコンテンツリスト要求部３２は、コンテンツリストＬ８において、表示部５に表示されている位置に追加される（表示領域Ｒ５中の「読み込み中」の位置に追加される）コンテンツ情報を含む部分リストの配信を優先するようにサーバ２０に要求する。
【００７３】
〔実施形態３（ソフトウェアによる実現例）〕
プレーヤ１、１ａの制御ブロック（特に、操作入力受付け部３１、コンテンツリスト要求部３２、コンテンツリスト取得部３３、３３ａ、コンテンツリストソート部３４、表示更新部３５、３５ａ、操作領域特定部３６）は、集積回路（ＩＣチップ）等に形成された論理回路（ハードウェア）によって実現してもよいし、ＣＰＵ（Central Processing Unit）を用いてソフトウェアによって実現してもよい。
【００７４】
後者の場合、プレーヤ１、１ａは、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００７５】
〔まとめ〕
本発明の態様１に係るコンテンツ再生装置（プレーヤ１、１ａ）は、１つのコンテンツに関する情報であるコンテンツ情報を複数のコンテンツについて含むリストを取得し、当該リストに含まれるコンテンツ情報から指定されたコンテンツ情報に対応するコンテンツを再生するコンテンツ再生装置であって、上記リストが分割された、上記コンテンツ情報を１または複数含む部分リスト（Ｌ０、Ｌ３、Ｌ４、Ｌ７）を、順次、取得するリスト取得部（コンテンツリスト取得部３３、３３ａ）と、上記部分リストの取得後、取得済みの上記部分リストに含まれる上記コンテンツ情報を所定のルールに従ってソートする順序決定部（コンテンツリストソート部３４）と、上記ソートされた順序で、上記コンテンツ情報を表示部（５）に表示する表示更新部（３５、３５ａ）とを備えており、上記表示更新部は、直前の表示に含まれていた特定のコンテンツ情報の表示位置が同じになるように、上記表示部の表示を更新する。
【００７６】
上記の構成によれば、順序決定部は部分リストの取得後、取得済みの上記部分リストに含まれる上記コンテンツ情報を所定のルールに従ってソートする。また、表示更新部は、直前の表示に含まれていた特定のコンテンツ情報の表示位置が、同じになるように、上記表示部の表示を更新する。したがって、コンテンツ再生装置は、コンテンツ情報の表示の更新時にコンテンツ情報をソートでき、かつ、ユーザに対して、表示の更新の前後で特定のコンテンツ情報を同じ表示位置に認識させることができる。
【００７７】
本発明の態様２に係るコンテンツ再生装置（プレーヤ１）は、上記態様１において、上記順序決定部は、上記コンテンツ情報に含まれる要素情報を用いて、上記コンテンツ情報をソートしてもよい。上記の構成によれば、コンテンツ情報に含まれる要素情報（例えば、タイトル（コンテンツ名）、種別（放送、録画等）、ネットワーク（地上放送、ＢＳ放送、ＣＳ放送等）、ジャンル、放送局名、チャンネル番号、ストリーム種別、ビットレート、コンテンツの長さ（再生時間）、該コンテンツに対応するアイコン、作成日時、放送開始時間、放送終了時間、レーティング情報（視聴者の年齢）、コンテンツの説明など）を用いて、コンテンツ情報をソートするコンテンツ再生装置を実現することができる。
【００７８】
本発明の態様３に係るコンテンツ再生装置は、上記態様１または２において、上記表示部に表示されているコンテンツ情報の中で注目するコンテンツ情報を切り替えるユーザ操作を受け付ける操作入力部（操作入力受付け部３１）を備え、上記特定のコンテンツ情報が、上記操作入力部が受け付けたユーザ操作によって選択された上記注目するコンテンツ情報である。
【００７９】
上記の構成によれば、特定のコンテンツ情報が、ユーザによって選択されたコンテンツ情報である。そのため、ユーザは、リストの表示の更新前後で、選択されたコンテンツ情報の表示を同じ表示位置で確認することができる。
【００８０】
本発明の態様４に係るコンテンツ再生装置（プレーヤ１ａ）は、上記態様１において、分割される前の上記リストでは上記コンテンツ情報がソートされており、上記リスト取得部（コンテンツリスト取得部３３ａ）は、上記ソートされた順で上記コンテンツ情報を取得するように、上記部分リストを取得し、上記順序決定部は、取得済みの上記部分リストに含まれる上記コンテンツ情報を、上記リストでのソート順とは逆順でソートしてもよい。上記の構成によれば、分割される前のリストのソート順とは逆順でコンテンツ情報をソートするコンテンツ再生装置を実現できる。
【００８１】
本発明の態様５に係るコンテンツ再生装置は、上記態様４において、上記リスト取得部が取得していない上記部分リストがある場合、上記表示更新部は、取得していない上記コンテンツ情報があることを上記表示部に表示してもよい。上記の構成によれば、取得していないコンテンツ情報があることを、ユーザに認識させることができる。
【００８２】
本発明の態様６に係るコンテンツ再生装置の制御方法は、１つのコンテンツに関する情報であるコンテンツ情報を複数のコンテンツについて含むリストを取得し、当該リストに含まれるコンテンツ情報から指定されたコンテンツ情報に対応するコンテンツを再生するコンテンツ再生装置の制御方法であって、上記リストが分割された、上記コンテンツ情報を１または複数含む部分リストを、順次、取得するリスト取得ステップと、上記部分リストの取得後、取得済みの上記部分リストに含まれる上記コンテンツ情報を所定のルールに従ってソートする順序決定ステップと、上記ソートされた順序で、上記コンテンツ情報を表示部に表示する表示更新ステップとを含み、上記表示更新ステップでは、直前の表示に含まれていた特定のコンテンツ情報の表示位置が同じになるように、上記表示部の表示を更新する。上記の構成によれば、上記態様１と同様の効果を奏する。
【００８３】
本発明の各態様に係るコンテンツ再生装置は、コンピュータによって実現してもよく、この場合には、コンピュータを上記コンテンツ再生装置が備える各部（ソフトウェア要素）として動作させることにより上記コンテンツ再生装置をコンピュータにて実現させるコンテンツ再生装置の制御プログラム、およびそれを記録したコンピュータ読み取り可能な記録媒体も、本発明の範疇に入る。
【００８４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００８５】
１、１ａ                プレーヤ（コンテンツ再生装置）
５                      表示部
３１                    操作入力受付け部（操作入力部）
３３、３３ａ            コンテンツリスト取得部（リスト取得部）
３４                    コンテンツリストソート部（順序決定部）
３５、３５ａ            表示更新部
Ｌ０、Ｌ３、Ｌ４、Ｌ７  部分リスト
Ｓ１２、Ｓ１７          リスト取得ステップ
Ｓ１３、Ｓ１９          順序決定ステップ
Ｓ１４、Ｓ２０          表示更新ステップ
【図１】
2017069710.tif 000003
【図２】
2017069710.tif 000004
【図３】
2017069710.tif 000005
【図４】
2017069710.tif 000006
【図５】
2017069710.tif 000007
【図６】
2017069710.tif 000008
【図７】
2017069710.tif 000009
【図８】
2017069710.tif 000010
【図９】
2017069710.tif 000011